(57)【要約】【課題】自動車のタイヤホイールの効率的な洗浄。【解決手段】匡体１に把手１６を設け、内部にブラシ本体１２に高速振動を起動する為の動力源として、水流で回転するプロペラ２に回転歯車５とフェース歯車６を組み合わせ、該フェース歯車６にピストンアーム７を取付け、該ピストンアーム７は前記ブラシ本体９と係合する振動アーム８が高速振動を可能にして設けられている。一方匡体１後部は、水道ホースの取付け部１０水道水流量調整弁３同ツマミ４を設けプロペラ２の回転の調整を可能にし、水道水は匡体１とブラシ本体１２に結合した蛇腹ホース９内部を通りブラシ本体１２に設けた蛇腹ホース結合部１４より先端に復数設けた流水孔１５より排水されるように構成されている。【選択図】図３
2009029391.tif 000002
【特許請求の範囲】
【請求項１】
自動車のタイヤホイールを洗浄する器具において、洗浄ブラシを高速振動させる事でタイヤホイールを洗浄する。前記洗浄ブラシの高速振動源は水道流圧を利用し振動に変換する機能を設けた事を構成した事を特徴とするタイヤホイール洗浄器具。
【請求項２】
前記タイヤホイールの洗浄において、洗浄ブラシの高速振動を得る為、モーターの回転を利用し高速振動に変換する機能を設けた事を特徴とする請求項１記載のタイヤホイール洗浄器具。
【発明の詳細な説明】
【技術分野】
【０００１】本発明は、自動車のタイヤホイール洗浄器具に関するものである。
【背景技術】
【０００２】現在自動車のタイヤホイールの洗浄器具はブラシ、又はスポンジ等が先端についたハンド式用具で手で洗うものが大半である。【０００３】又タイヤホイールと同様に円盤式の洗浄ブラシを回転させるもの、スチームや高圧の水を噴射させるもの等があり、それなりの効果を上げている
【発明が解決しようとする課題】
【０００４】しかし現在主流とも言える多数装着されているアルミホイールにおいて凹凸のあるものでは、付着した汚れはブラシ表面で擦った程度では落ちにくい。
【０００５】タイヤホイールの汚れは、主に泥、ホコリ、ブレーキダスト等であるが、ホイールの平らな表面は比較的洗浄し易いが凹凸形状部は、該形状、深さ等さまざまで、洗浄ブラシを使い手で擦った程度では汚れは落ちにくく、又労力を必要とする。
【０００６】又、不用意に力を加え過ぎて、ブラシで擦り洗浄等を行うとアルミホイールでもメッキされたものはキズが付き易く、光沢を失わせる結果を招きかねない。
【課題を解決する手段】
【０００７】本発明は、自動車のタイヤホイールの洗浄器具において、洗浄ブラシの往復運動による擦り洗浄や円盤状ブラシの回転運動による洗浄方式とは異なり、洗浄ブラシを高速振動させその振動によってタイヤホイールを洗浄するものである。
【０００８】洗浄ブラシを高速振動させる事により、単に洗浄ブラシを擦ったり、回転させるよりも効率が良く容易にホイールの汚れを落とす事ができる。
【０００９】又、洗浄ブラシを形状を変えたものに取り替える事で、ホイールの凹凸のある深い形状部分も振動ブラシを押し当てる動作で洗浄が可能になる。
【００１０】光沢メッキホイールも往復運動や回転運動による洗浄方法と異なり、汚れ部分に振動ブラシを当て移動させる洗浄方法の為、前記光沢メッキホイールにキズを付けたり、光沢をなくす様な事はない。
ブラシの振動源を水道の水圧で回転させた動力源をピストン運動に変え動作させ流水はブラシ先端から排水する為洗浄能力を高める事ができる。
【発明の実施と形態】
【００１１】本発明の構成を図１〜図５によって説明する。
匡体１に把手１６を設け、内部にブラシ本体１２に高速振動を起動する為の動力源として、水流で回転するプロペラ２に回転歯車５とフェース歯車６を組み合わせ、該フェース歯車６にピストンアーム７を取付け、該ピストンアーム７は前記ブラシ本体９と係合する振動アーム８が高速振動を可能にして設けられている。一方匡体１後部は、水道ホースの取付け部１０水道水流量調整弁３同ツマミ４を設けプロペラ２の回転の調整を可能にし、水道水は匡体１とブラシ本体１２に結合した蛇腹ホース９内部を通りブラシ本体１２に設けた蛇腹ホース結合部１４より先端に復数設けた流水孔１５より排水されるように構成されている。
又、動力源として前記水流で回転するプロペラ２以外に多数の回転翼を設けた回転体１７を利用する事、あるいは水道水以外に自動車のシガープラグ２１を電源として手許スイッチ１９、モーター１８を各々ケーブル２０で接続し利用する方法等を可能にしている。
【実施例】
【００１２】本発明の実施例を図１〜図１１によって説明する。
水道ホースを匡体１の水道ホースの取付け部１０に取付け水道水１１を流す。
水道水１１は、水道水調整弁３のツマミ４で流量を適当に調整する事により動力源であるプロペラ２の回転、同時にブラシ本体１２の振動を適当に調整できる。
このようにしてブラシ１３ａの流水孔１５から排出される水と洗剤等を利用しタイヤホイールの洗浄をする。
又、タイヤホイールの形状及び汚れ具合等によって大形平ブラシ１３ｂ、側面深溝用ブラシ１３ｃも使用を可能にしている。
【発明の効果】
【００１３】ブラシの振動により、タイヤホイールの汚れが容易に落とせる。
手許で水圧の調整ができるので洗浄がし易い。
ブラシの使い分けにより細部の汚れが容易に落とせる。
【図面の簡単な説明】
【００１４】
【図１】本発明の自動車のタイヤホイール洗浄器具を示す外観正面図。
【図２】本発明の自動車のタイヤホイール洗浄器具の動力源にプロペラを使用した匡体、ブラシ本体の断面を示す平面図。
【図３】本発明の自動車のタイヤホイール洗浄器具の動力源にプロペラを使用した匡体、ブラシ本体の断面を示す正面図。
【図４】本発明の自動車のタイヤホイール洗浄器具の動力源に回転翼を設けた回転体を使用した匡体、ブラシ本体の断面を示す正面図。
【図５】本発明の自動車のタイヤホイール洗浄器具の動力源にモーターを使用した匡体、ブラシ本体の断面を示す正面図。
【図６】本発明の自動車のタイヤホイール洗浄器具のブラシ本体を示す平面図。
【図７】本発明の自動車のタイヤホイール洗浄器具のブラシ本体を示す正面図。
【図８】本発明の自動車のタイヤホイール洗浄器具の大形平ブラシを示す平面図。
【図９】本発明の自動車のタイヤホイール洗浄器具の大形平ブラシを示す正面図。
【図１０】本発明の自動車のタイヤホイール洗浄器具の側面深溝用ブラシを示す平面図。
【図１１】本発明の自動車のタイヤホイール洗浄器具の側面深溝用ブラシを示す正面図。
【符号の説明】
【００１５】１：匡体
２：プロペラ
３：水道水流量調整弁
４：ツマミ
５：回転歯車
６：フェース歯車
７：ピストンアーム
８：振動アーム
９：蛇腹ホース
１０：水道ホース取付け部
１１：水道水
１２：ブラシ本体
１３ａ：ブラシ
１３ｂ：大形平ブラシ
１３ｃ：側面深溝ブラシ
１４：蛇腹ホース結合部
１５：流水孔
１６：把手
１７：回転翼を設けた回転体
１８：モーター
１９：手許スイッチ
２０：ケーブル
２１：シガープラグ
【図１】
2009029391.tif 000003
【図２】
2009029391.tif 000004
【図３】
2009029391.tif 000005
【図４】
2009029391.tif 000006
【図５】
2009029391.tif 000007
【図６】
2009029391.tif 000008
【図７】
2009029391.tif 000009
【図８】
2009029391.tif 000010
【図９】
2009029391.tif 000011
【図１０】
2009029391.tif 000012
【図１１】
2009029391.tif 000013